(57)【要約】      （修正有）【課題】良好な照明輝度を具えたＬＥＤ照明装置を提供する。【解決手段】ＬＥＤ照明装置は、ヒートシンク、ＬＥＤ発光モジュール、反射板及び透光板を包含する。ＬＥＤ発光モジュールはヒートシンクに設置され、回路板と回路板上に位置する複数のＬＥＤチップを包含する。反射板の、ＬＥＤチップに対応する位置には孔が形成され、反射板がＬＥＤ発光モジュールの回路板に設置される時、ＬＥＤチップが孔より露出する。透光板はヒートシンクに固定されて、ＬＥＤ発光モジュールを被覆する。【選択図】図２
0003159158.tif 000002
【実用新案登録請求の範囲】
【請求項１】
良好な照明輝度を具えたＬＥＤ照明装置において、
上表面と下表面を具えたヒートシンクと、
該ヒートシンク上に設置され、回路板と該回路板上に位置する複数のＬＥＤチップを包含する、ＬＥＤ発光モジュールと、
該複数のＬＥＤチップに対応する位置に対応する孔が形成され、それが該ＬＥＤ発光モジュールの回路板に設置される時、該ＬＥＤチップは該孔より露出する反射板と、
該ヒートシンクに固定され、該ＬＥＤ発光モジュールを被覆する透光板と、
を包含したことを特徴とする、良好な照明輝度を具えたＬＥＤ照明装置。
【請求項２】
請求項１記載の良好な照明輝度を具えたＬＥＤ照明装置において、該ヒートシンクの上表面に凸板が形成されて、該ヒートシンクに凹溝が形成され、該ＬＥＤ発光モジュールが該凹溝内に設置されたことを特徴とする、良好な照明輝度を具えたＬＥＤ照明装置。
該ヒートシンクの開口に設置されて、該ヒートシンクの収容室を被覆する透光板と、
を包含したことを特徴とする、良好な照明輝度を具えたＬＥＤ照明装置。
【請求項３】
請求項２記載の良好な照明輝度を具えたＬＥＤ照明装置において、該ヒートシンクの両凸板の外側にそれぞれ放熱フィンセットが形成されたことを特徴とする、良好な照明輝度を具えたＬＥＤ照明装置。
【請求項４】
請求項１記載の良好な照明輝度を具えたＬＥＤ照明装置において、該反射板の両側に上向きの折り曲げ部が形成されたことを特徴とする、良好な照明輝度を具えたＬＥＤ照明装置。
【請求項５】
請求項１記載の良好な照明輝度を具えたＬＥＤ照明装置において、該透光板はＵ形状で、上板と上板両側に位置する側板は該ヒートシンクに固定されることを特徴とする、良好な照明輝度を具えたＬＥＤ照明装置。
【請求項６】
請求項１記載の良好な照明輝度を具えたＬＥＤ照明装置において、該ヒートシンクの両側板にそれぞれ溝が形成され、該透光板は該溝内に嵌合されることを特徴とする、良好な照明輝度を具えたＬＥＤ照明装置。
【請求項７】
請求項６記載の良好な照明輝度を具えたＬＥＤ照明装置において、該透光板の両側板の底部にスライドレールが形成され、該透光板は該スライドレールにより該ヒートシンクの溝内に嵌合固定されることを特徴とする、輝度アップ可能なＬＥＤ照明装置。
【考案の詳細な説明】
【技術分野】
【０００１】
本考案は一種の良好な照明輝度を具えたＬＥＤ照明装置に係り、特に光線を反射後に射出することで、照明輝度をアップさせられるものに関する。
【背景技術】
【０００２】
日常生活において、照明設備は不可欠の生活用品であり、人々の生活方式を変えてきた。現在、一般家庭或いは公共の屋内場所において、各種の照明設備、例えば、蛍光灯、照明灯、テーブルランプ、ペンダントライト、ネオンランプ等が使用されており、暗さのもたらす不便を照明設備により改善している。
【０００３】
異なる照明設備に関しては、その応用の用途に差異があり、例えば、一般の蛍光灯、照明灯、テーブルランプ等は、一般照明として使用され、また、特殊な用途の照明設備例えばナイトランプは人々が睡眠時に照明を提供し、その発光効率は比較的低く、補助用途のみである。
【０００４】
伝統的な灯管或いは電球は温度上昇が速く消費電力が大きいという欠点を有し、且つ照明器具を廃棄後に環境保護の問題をもたらし、このため、近年、ＬＥＤを発光源とする技術が発展した。
【０００５】
ＬＥＤは消費電力が低く、寿命が長く、ランプのウォームアップ時間が必要なく反応速度が速いという長所を有するものの、一般にＬＥＤはその輝度が伝統的なバルブ或いは灯管よりも低く、このため照明光源としてはハイパワーのＬＥＤが採用される。ハイパワーのＬＥＤはより高い輝度を提供できるが、続けて使用すると温度上昇により発光の効率に影響が生じる。このため如何にＬＥＤ照明に良好な照明効果を具備させるかが、その放熱効果をアップする以外に、業界の技術開発の重要な課題となっている。
【考案の概要】
【考案が解決しようとする課題】
【０００６】
本考案の主要な目的は、光線反射の機能を有して照明輝度を高められる良好な照明輝度を具えたＬＥＤ照明装置を提供することにある。
【０００７】
本考案の別の目的は、良好な放熱効果を具備することにより、使用寿命を延長し、その光減衰を減らし、照明輝度をアップするＬＥＤ照明装置を提供することにある。
【課題を解決するための手段】
【０００８】
上述の目的を達成するため、本考案の良好な照明輝度を具えたＬＥＤ照明装置は、ヒートシンク、ＬＥＤ発光モジュール、反射板及び透光板を包含する。該ＬＥＤ発光モジュールは該ヒートシンクに設置され、回路板と該回路板上に位置する複数のＬＥＤチップを包含する。該反射板反射板の、これら複数のＬＥＤチップに対応する位置には孔が形成され、該反射板が該ＬＥＤ発光モジュールの回路板に設置される時、該ＬＥＤチップが該孔より露出し、該透光板は該ヒートシンクに固定されて、該ＬＥＤ発光モジュールを被覆する。
【考案の効果】
【０００９】
ゆえに、該透光板に反射された光線が該反射板により反射されることで、照明装置の輝度が高められる。
本考案のその他の目的、長所及び特色は、以下の好ましい実施例により詳細に説明され並びに図面が参照されることでさらに深い理解が得られるようにする。
【図面の簡単な説明】
【００１０】
【図１】本考案の良好な照明輝度を具えたＬＥＤ照明装置の立体分解図である。
【図２】本考案の良好な照明輝度を具えたＬＥＤ照明装置の組み合わせ断面図である。
【図３】本考案の良好な照明輝度を具えたＬＥＤ照明装置の実施表示図である。
【考案を実施するための形態】
【００１１】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１２】
図１を参照されたい。これは本考案の良好な照明輝度を具えたＬＥＤ照明装置の立体分解図であり、それは、長尺状のヒートシンク１０、ＬＥＤ発光モジュール１２、反射板１３及び透光板１４を包含する。
【００１３】
そのうち、長尺状のヒートシンク１０は一体プレス加工により形成され、上表面１６と下表面１８を具え、上表面１６に二つの凸板２０と二つの凸板２０の間に形成された凹溝２２が設けられ、且つ二つの凸板２０の外側にそれぞれ放熱フィンセット２４が形成され、本実施例では放熱フィンセット２４はコ形放熱フィンとされる。また、二つの凸板２０の底部にそれぞれ溝２５が形成されている。
【００１４】
ＬＥＤ発光モジュール１２は長尺状とされ、それはヒートシンク１０の凹溝２２内に設置され、回路板２６と回路板２６上に位置する複数のＬＥＤチップ２８を有する。
【００１５】
反射板１３の複数のＬＥＤチップ２８に対応する位置に対応する孔３０が形成されて、それがＬＥＤ発光モジュール１２の回路板２６に取り付けられるとき、ＬＥＤチップ２８は孔３０より露出する。また、反射板１３の両側には上向きの折り曲げ部３２が形成され、折り曲げ部３２はヒートシンク１０の凸板２０上縁を押さえ、折り曲げ部３２の支持としている。
【００１６】
透光板１４はほぼ逆Ｕ形状を呈し、それは上板３４と該上板３４の両側に位置する側板３６を有する。該両側の側板３６の底部にそれぞれスライドレール３８が形成され、ヒートシンク１０の凸板２０の溝２５内にスライド式に固定される時、透光板１４はヒートシンク１０に固定され、該ＬＥＤ発光モジュール１２を被覆する。
【００１７】
図２を参照されたい。本考案の良好な照明輝度を具えたＬＥＤ照明装置の組み合わせ断面図である。組立時には、まずＬＥＤチップ２８を回路板２６に接着固定し、さらに反射板１３を回路板２６上に固定し、ＬＥＤチップ２８を反射板１３の孔３０より露出させ、ＬＥＤ発光モジュール１２を該ヒートシンク１０の凹溝２２内に固定する。その後、透光板１４を、その側板３６のスライドレール３８をヒートシンク１０の溝２５にスライドさせて嵌め込むことで、照明装置の組立を完成し、その組立過程は相当に便利である。
【００１８】
図３は本考案の良好な照明輝度を具えたＬＥＤ照明装置の実施表示図である。そのうち、ＬＥＤ発光モジュール１２の発射する光線は、透光板１４より投射される時、一部の光線が透光板１４により反射され、反射板１４によりその光線が反射、射出され、その照明輝度が高められ、且つＬＥＤ発光モジュール１２がヒートシンク１０に設置される時、その放熱効果がアップされその使用寿命が延長される。
【００１９】
上述の構造組み合わせにより、本考案はＬＥＤ発光モジュール１２が直接長尺状のヒートシンク１０に設置されることで、有効に熱エネルギーを排出し、光減衰を減らし、その照明輝度を高め、且つ光が反射板１３により反射された後に射出されるため、その照明輝度をアップでき、顕著な機能上の増進を有する。
【００２０】
本考案の開示する実施方式は上述のとおりであるが、記載された内容は直接本考案の権利請求範囲を限定するためのものではない。本考案の属する技術領域中における通常の知識を有する者であれば、本考案に記載の精神と範囲より離脱しない前提の下で実施の形式上及び細部上、幾ばくかの変更を行うことができる。本考案の権利請求範囲は実用新案登録請求の範囲による規定に準じる。
【符号の説明】
【００２１】
１０  ヒートシンク              １２  ＬＥＤ発光モジュール
１３  反射板                    １４  透光板
１６  上表面                    １８  下表面
２０  凸板                      ２２  凹溝
２４  放熱フィンセット          ２５  溝
２６  回路板                    ２８  ＬＥＤチップ
３０  孔                        ３２  折り曲げ部
３４  上板                      ３６  側板
３８  スライドレール
【図１】
0003159158.tif 000003
【図２】
0003159158.tif 000004
【図３】
0003159158.tif 000005
【手続補正書】
【提出日】平成22年3月10日(2010.3.10)
【手続補正１】
【補正対象書類名】実用新案登録請求の範囲
【補正対象項目名】請求項２
【補正方法】変更
【補正の内容】
【請求項２】
請求項１記載の良好な照明輝度を具えたＬＥＤ照明装置において、該ヒートシンクの上表面に凸板が形成されて、該ヒートシンクに凹溝が形成され、該ＬＥＤ発光モジュールが該凹溝内に設置されたことを特徴とする、良好な照明輝度を具えたＬＥＤ照明装置。
【手続補正２】
【補正対象書類名】実用新案登録請求の範囲
【補正対象項目名】請求項７
【補正方法】変更
【補正の内容】
【請求項７】
請求項６記載の良好な照明輝度を具えたＬＥＤ照明装置において、該透光板の両側板の底部にスライドレールが形成され、該透光板は該スライドレールにより該ヒートシンクの溝内に嵌合固定されることを特徴とする、良好な照明輝度を具えたＬＥＤ照明装置。